(57)【要約】【課題】半導体ウエハの表面に貼り付けられた保護テープを、剥離用接着テープ類を用いて精度よく剥離する。【解決手段】エッジ部材５０を半導体ウエハＷに接近させて保護テープの端部に剥離テープを押圧接触さて貼り付ける。このとき、エッジ部材５０をヒータによって所定温度に維持し、剥離テープの接着層を重合反応させて熱硬化させてゆく。熱硬化によって保護テープに強固に接着した剥離テープを保護テープの端縁から剥離してゆく。【選択図】図２
2007043048.tif 000002
【特許請求の範囲】
【請求項１】
半導体ウエハの表面に貼り付けられた保護テープに、剥離用接着テープ類をその非接着面側から貼付け部材により押圧しながら貼り付け、当該剥離用接着テープ類を剥離することで半導体ウエハの表面から保護テープを剥離用接着テープ類と一体にして剥離する保護テープ剥離方法において、
前記剥離用接着テープ類は熱硬化型接着テープであり、当該熱硬化型接着テープを加熱しながら前記保護テープに貼り付けた後、当該熱硬化型接着テープを保護テープと一体にして剥離する
ことを特徴とする保護テープ剥離方法。
【請求項２】
請求項１に記載の保護テープ剥離方法において、
前記熱硬化型接着テープの加熱は、当該熱硬化型接着テープを押圧する貼付け部材を加熱手段によって加熱して行なう
ことを特徴とする保護テープ剥離方法。
【請求項３】
請求項１または請求項２に記載の保護テープ剥離方法において、
前記熱硬化型接着テープの種類に応じて前記加熱手段を操作して前記貼付け部材の温度を制御する
ことを特徴とする保護テープ剥離方法。
【請求項４】
請求項１ないし請求項３のいずれかに記載の保護テープ剥離方法において、
前記貼付け部材は、先端が先鋭なエッジ部材である
ことを特徴とする保護テープ剥離方法。
【請求項５】
半導体ウエハの表面に貼り付けられた保護テープに、剥離用接着テープ類をその非接着面側から貼付け部材により押圧しながら貼り付け、当該剥離用接着テープ類を剥離することで半導体ウエハの表面から保護テープを剥離用接着テープ類と一体にして剥離する保護テープ剥離装置であって、
保護テープ付きの半導体ウエハを載置保持する保持手段と、
前記剥離用接着テープは熱硬化型接着テープであり、当該熱硬化型接着テープを貼付け部材に向けて供給する接着テープ供給手段と、
前記貼付け部材を加熱する加熱手段と、
前記熱硬化型接着テープが前記保護テープに貼り付けられる作用位置と熱硬化型接着テープが保護テープから離間した非作用位置とに移動するように、前記貼付け部材と前記保持手段とを相対的に上下動させる昇降手段と、
前記保持手段と前記貼付け部材とを相対的に水平移動させる水平駆動手段と、
剥離した前記熱硬化型接着テープと一体になった保護テープを回収するテープ回収手段と、
を備えたことを特徴とする保護テープ剥離装置。
【請求項６】
請求項５に記載の保護テープ剥離装置において、
前記貼付け部材の温度を検出する検出手段と、
前記熱硬化型接着テープの種類に応じて予め設定した基準温度と、前記検出手段による検出結果とを比較し、当該比較結果に基づいて前記加熱手段を操作して前記貼付け部材の温度を制御する制御手段と、
を備えたことを特徴とする保護テープ剥離装置。
【請求項７】
請求項５または請求項６に記載の保護テープ剥離装置において、
前記貼付け部材に前記加熱手段を搭載した
ことを特徴とする保護テープ剥離装置。
【請求項８】
請求項５ないし請求項７のいずれかに記載の保護テープ剥離装置において、
前記貼付け部材は、先端が先鋭なエッジ部材である
ことを特徴とする保護テープ剥離装置。
【発明の詳細な説明】
【技術分野】
【０００１】
本発明は、半導体ウエハの表面に貼り付けられた保護テープやリング状フレームに支持粘着テープを介して裏面から保持された半導体ウエハの表面に貼り付けられた保護テープに、貼付け部材により剥離用接着テープ類の非接着面を押圧しながら貼り付け、当該剥離用接着テープ類を剥離することで半導体ウエハの表面から保護テープを剥離用接着テープ類と一体にして剥離する保護テープ剥離方法およびこれを用いた装置に関する。
【背景技術】
【０００２】
半導体ウエハ（以下、単に「ウエハ」という）を薄型加工する手段として、研削や研磨などの機械的方法、またはエッチングを利用した化学的方法などがある。また、これらの方法を利用してウエハを加工する際、配線パターンの形成されたウエハ表面を保護するために、その表面に保護テープが貼り付けられる。保護テープが貼り付けられて研磨処理されたウエハは、リング状フレームに支持粘着テープを介して裏面から接着保持される。その後、リング状フレームに保持されたウエハの表面から保護テープを剥離除去する。
【０００３】
この保護テープを剥離除去する方法としては、保護テープの表面にローラあるいはエッジ部材などの貼付け部材を介して剥離用接着テープ類を貼り付け、その剥離用接着テープ類を剥離することでウエハ表面から保護テープと一体にして剥離除去して巻き取ってゆくものが知られている（例えば、特許文献１参照）。
【特許文献１】特開平５−６３０７７号公報
【発明の開示】
【発明が解決しようとする課題】
【０００４】
しかしながら、上記した従来の保護テープ剥離方法では次のような問題がある。
【０００５】
すなわち、保護テープの表面に剥離用接着テープ類を貼り付けたときに保護テープの端縁に当該剥離用接着テープ類が密着していない状態で剥離作動させると、保護テープの端縁が剥離動作に追従せずにウエハに接着したままとなり、保護テープを剥離用接着テープ類と一体にしてウエハの表面から精度よく剥離することができないといった問題がある。
【０００６】
この発明は、このような事情に鑑みてなされたものであって、半導体ウエハの表面に貼り付けられた保護テープに剥離用接着テープ類を貼り付け、この剥離用接着テープ類を剥離することで保護テープを一体にして半導体ウエハから精度よく剥離することのできる保護テープ剥離方法およびこれを用いた装置を提供することを主たる目的とする。
【課題を解決するための手段】
【０００７】
この発明は、上記目的を達成するために次のような構成をとる。
【０００８】
第１の発明は、半導体ウエハの表面に貼り付けられた保護テープに、剥離用接着テープ類をその非接着面側から貼付け部材により押圧しながら貼り付け、当該剥離用接着テープ類を剥離することで半導体ウエハの表面から保護テープを剥離用接着テープ類と一体にして剥離する保護テープ剥離方法において、
前記剥離用接着テープ類は熱硬化型接着テープであり、当該熱硬化型接着テープを加熱しながら前記保護テープに貼り付けた後、当該熱硬化型接着テープを保護テープと一体にして剥離する
ことを特徴とする。
【０００９】
（作用・効果）  この方法によると、熱硬化型接着テープの接着層が加熱されて重合反応して硬化させられ、熱硬化型接着テープが保護テープの端縁を含む全面に過不足なく強固に貼り付けられる。したがって、保護テープの端縁から当該熱硬化型接着テープと一体にして半導体ウエハの表面から精度よく剥離することができる。
【００１０】
第２の発明は、上記第１の発明方法において、
前記熱硬化型接着テープの加熱は、当該熱硬化型接着テープを押圧する貼付け部材を加熱手段によって加熱して行なうことを特徴とする。
【００１１】
（作用・効果）  この方法によると、加熱手段からの熱が貼付け部材を加熱し、当該貼付け部材の熱が熱硬化型接着テープ伝わり加熱される。つまり、貼付け部材によって熱硬化型接着テープの貼付け部位を直接に加熱することができるので、保護テープの端部に当該熱硬化型接着テープを過不足なく貼り付けることができる。すなわち、第１の発明方法を好適に実施することができる。
【００１２】
なお、加熱手段は、熱硬化型接着テープの種類に応じて加熱手段を操作して貼付け部材の温度を制御することが好ましい。この方法によると、熱硬化型接着テープの種類ごとに、その接着層の重合反応を完結させることができるので、熱硬化型接着テープを保護テープの端縁により精度よく貼り付けることができる。
【００１３】
また、上記発明の貼付け部材は、先端が先鋭なエッジ部材であることが好ましい。つまり、熱硬化型接着テープの貼付け部位をエッジ部材の先端によって幅方向に直線的に押圧することができるので、局所的に接着層を加熱して重合反応を促進させ、強固に硬化させることができる。すなわち、接触面積の小さい保護テープの端縁であっても線接触で熱硬化型接着テープを精度よく貼り付けることができる。
【００１４】
第５の発明は、半導体ウエハの表面に貼り付けられた保護テープに、剥離用接着テープ類をその非接着面側から貼付け部材により押圧しながら貼り付け、当該剥離用接着テープ類を剥離することで半導体ウエハの表面から保護テープを剥離用接着テープ類と一体にして剥離する保護テープ剥離装置であって、
保護テープ付きの半導体ウエハを載置保持する保持手段と、
前記剥離用接着テープは熱硬化型接着テープであり、当該熱硬化型接着テープを貼付け部材に向けて供給する接着テープ供給手段と、
前記貼付け部材を加熱する加熱手段と、
前記熱硬化型接着テープが前記保護テープに貼り付けられる作用位置と熱硬化型接着テープが保護テープから離間した非作用位置とに移動するように、前記貼付け部材と前記保持手段とを相対的に上下動させる昇降手段と、
前記保持手段と前記貼付け部材とを相対的に水平移動させる水平駆動手段と、
剥離した前記熱硬化型接着テープと一体になった保護テープを回収するテープ回収手段と、
を備えたことを特徴とする。
【００１５】
（作用・効果）  この構成によれば、保持手段と貼付け部材を相対的に上下動させて加熱手段によって加熱された貼付け部材を作用位置に移動させる。その後、貼付け部材と保持手段とを相対的に水平移動させることにより、熱硬化型接着テープが貼付け部材によって加熱されながら保持手段に保持された半導体ウエハ表面の保護テープに貼り付けられてゆく。すなわち、第１の発明方法を好適に実現することができる。
【００１６】
第６の発明は、上記第５の発明装置において、
前記貼付け部材の温度を検出する検出手段と、
前記熱硬化型接着テープの種類に応じて予め設定した基準温度と、前記検出手段による検出結果とを比較し、当該比較結果に基づいて前記加熱手段を操作して前記貼付け部材の温度を制御する制御手段と、
を備えたことを特徴とする。
【００１７】
（作用・効果）  この構成によれば、検出手段によって検出された貼付け部材の温度が制御手段にフィードバックされて基準値と比較される。この比較結果に基づいて貼付け部材の温度が基準値となるように加熱手段から供給される熱が調節される。したがって、熱硬化型接着テープの接着層の重合反応を精度よく行なわせて完結させることができ、ひいては保護テープの端縁に熱硬化型接着テープを精度よく貼り付けることができる。
【００１８】
なお、貼付け部材に加熱手段を搭載することが好ましい。この構成によれば、貼付け部材を直接に加熱し、当該貼付け部材によって熱硬化型接着テープを加熱することができる。また。貼付け部材としては、先端が先鋭なエッジ部材であることが好ましい。
【発明の効果】
【００１９】
この発明に係る保護テープ剥離方法およびこれを用いた装置によれば、半導体ウエハの表面に貼り付けられた保護テープの端部から、この保護テープを剥離用接着テープ類と一体にして精度よく剥離することができる。
【発明を実施するための最良の形態】
【００２０】
以下、図面を参照して本発明の保護テープ剥離装置を備えた半導体ウエハマウント装置の実施例を説明する。また、剥離用接着テープ類には、熱硬化型接着テープを利用している。
【００２１】
図１は、この発明の一実施例に係り、半導体ウエハマウント装置の全体構成を示した破断斜視図である。
【００２２】
本実施例の半導体ウエハマウント装置１は、バックグラインド処理を施したウエハＷを多段に収納するカセットＣが装填されるウエハ供給部２と、ロボットアーム４と押圧機構５とを備えたウエハ搬送機構３と、ウエハＷの位置合わせをするアライメントステージ７と、アライメントステージ７に載置されたウエハＷに向けて紫外線を照射する紫外線照射ユニット１４と、ウエハＷを吸着保持するチャックテーブル１５と、リングフレームｆが多段に収納されたリングフレーム供給部１６と、リングフレームｆをダイシング用テープである支持粘着テープＤＴに移載するリングフレーム搬送機構１７と、支持粘着テープＤＴをリングフレームｆの裏面から貼り付けるテープ処理部１８と、支持粘着テープＤＴが貼り付けられたリングフレームｆを昇降移動させるリングフレーム昇降機構２６と、支持粘着テープＤＴが貼り付けられたリングフレームｆにウエハＷを貼り合わせて一体化したマウントフレームＭＦを作製するマウントフレーム作製部２７と、作製されたマウントフレームＭＦを搬送する第１マウントフレーム搬送機構２９と、ウエハＷの表面に貼り付けられた保護テープＰＴを剥離する剥離機構３０と、剥離機構３０で保護テープＰＴが剥離されたマウントフレームＭＦを搬送する第２マウントフレーム搬送機構３５と、マウントフレームＭＦの方向転換および搬送を行なうターンテーブル３６と、マウントフレームＭＦを多段に収納するマウントフレーム回収部３７とから構成されている。
【００２３】
ウエハ供給部２には図示しないカセット台が備えられており、このカセット台に保護テープＰＴがパターン面（以下、適宜に「表面」という）に貼り付けられたウエハＷを多段に収納したカセットＣが載置されるようになっている。このとき、ウエハＷはパターン面を上向きにした水平姿勢を保っている。
【００２４】
ウエハ搬送機構３は、図示しない駆動機構によって旋回および昇降移動するように構成されている。つまり、後述するロボットアーム４のウエハ保持部や、押圧機構５に備わった押圧プレート６の位置調整を行なうとともに、ウエハＷをカセットＣからアライメントステージ７に搬送するようになっている。
【００２５】
ウエハ搬送機構３のロボットアーム４は、その先端に図示しない馬蹄形をしたウエハ保持部を備えている。また、ロボットアーム４は、カセットＣに多段に収納されたウエハＷ同士の間隙をウエハ保持部が進退可能に構成されている。なお、ロボットアーム先端のウエハ保持部には吸着孔が設けられており、ウエハＷを裏面から真空吸着して保持するようになっている。
【００２６】
ウエハ搬送機構３の押圧機構５は、その先端にウエハＷと略同形状をした円形の押圧プレート６を備えており、この押圧プレート６がアライメントステージ７に載置されたウエハＷの上方に移動するように、アーム部分が進退可能に構成されている。なお、押圧プレート６の形状は、円形に限定されるものではなく、ウエハＷに発生している反りを矯正できる形状であればよい。例えば、ウエハＷの反り部分に棒状物などの先端を押圧するようにしてもよい。
【００２７】
また、押圧機構５は、後述するアライメントステージ７の保持テーブルにウエハＷが載置されたときに、吸着不良が発生した場合に作動するようになっている。具体的には、ウエハＷに反りが発生してウエハＷを吸着保持できないとき、押圧プレート６がウエハＷの表面を押圧し、反りを矯正して平面状態にする。この状態で保持テーブルがウエハＷを裏面から真空吸着するようになっている。
【００２８】
アライメントステージ７は、載置されたウエハＷをその周縁に備えられたオリエンテーションフラットやノッチなどに基づいて位置合わせを行なうとともに、ウエハＷの裏面全体を覆って真空吸着する保持テーブルを備えている。
【００２９】
また、アライメントステージ７は、ウエハＷを真空吸着したときの圧力値を検出し、正常動作時（ウエハＷが保持テーブルに正常に吸着されたとき）の圧力値に関連して予め定められた基準値とを比較する。圧力値が基準値よりも高い（すなわち、吸気管内の圧力が十分に低下していない）場合は、ウエハＷに反りがあって保持テーブルに吸着されていないものと判断する。そして、押圧プレート６を作動させてウエハＷを押圧し、反りを矯正することによって、ウエハＷが保持テーブルに吸着されるようになっている。
【００３０】
アライメントステージ７は、ウエハＷを載置して位置合わせを行なう初期位置と、後述するテープ処理部１８の上方に多段に配備されたチャックテーブル１５とリングフレーム昇降機構２６との中間位置とにわたってウエハＷを吸着保持した状態で搬送移動できるように構成されている。つまり、アライメントステージ７は、ウエハＷの反りを矯正して平面状態に保持したまま次の工程まで搬送する。
【００３１】
紫外線照射ユニット１４は、初期位置にあるアライメントステージ７の上方に位置している。紫外線照射ユニット１４は、ウエハＷの表面に貼り付けられた紫外線硬化型接着テープである保護テープＰＴに向けて紫外線を照射する。つまり、紫外線の照射によって保護テープＰＴの接着力を低下させるようになっている。
【００３２】
チャックテーブル１５は、ウエハＷの表面を覆って真空吸着できるようにウエハＷと略同一形状の円形をしており、図示しない駆動機構によって、テープ処理部１８の上方の待機位置からウエハＷをリングフレームｆに貼り合わせる位置にわたって昇降移動するようになっている。
【００３３】
つまり、チャックテーブル１５は、保持テーブルによって反りを矯正されて平面状態に保持されたウエハＷと当接し、吸着保持するようになっている。
【００３４】
また、チャックテーブル１５は、後述する支持粘着テープＤＴが裏面から貼り付けられたリングフレームｆを吸着保持するリングフレーム昇降機構２６の開口部に収まってウエハＷがリングフレームｆの中央の支持粘着テープＤＴに近接する位置まで降下するようになっている。
【００３５】
このとき、チャックテーブル１５とリングフレーム昇降機構２６とは、図示しない保持機構によって保持されている。
【００３６】
リングフレーム供給部１６は底部に滑車が設けられたワゴン状のものであって、装置本体内に装填されるようになっている。また、その上部が開口して内部に多段に収納されているリングフレームｆをスライド上昇させて送り出すようになっている。
【００３７】
リングフレーム搬送機構１７は、リングフレーム供給部１６に収納されているリングフレームｆを上側から１枚ずつ順番に真空吸着し、図示しないアライメントステージと、支持粘着テープＤＴを貼り付ける位置とにリングフレームｆを順番に搬送するようになっている。また、リングフレーム搬送機構１７は、支持粘着テープＤＴの貼付の際、支持粘着テープＤＴの貼付位置でリングフレームｆを保持する保持機構としても作用している。
【００３８】
テープ処理部１８は、支持粘着テープＤＴを供給するテープ供給部１９、支持粘着テープＤＴにテンションをかける引張機構２０、支持粘着テープＤＴをリングフレームｆに貼り付ける貼付ユニット２１、リングフレームｆに貼り付けられた支持粘着テープＤＴを裁断するカッター機構２４、カッター機構２４によって裁断された後の不要なテープをリングフレームｆから剥離する剥離ユニット２３、および裁断後の不要な残存テープを回収するテープ回収部２５とを備えている。
【００３９】
引張機構２０は、支持粘着テープＤＴを幅方向の両端から挟み込んで、テープ幅方向にテンションをかけるようになっている。つまり、柔らかい支持粘着テープＤＴを用いると、テープ供給方向に加わるテンションによって、その供給方向に沿って支持粘着テープＤＴの表面に縦皺が発生してしまう。この縦皺を回避してリングフレームｆに支持粘着テープＤＴを均一に貼り付けるために、テープ幅方向側からテンションをかけている。
【００４０】
貼付ユニット２１は、支持粘着テープＤＴの上方に保持されたリングフレームｆの斜め下方（図１では左斜め下）の待機位置に配備されている。この貼付ユニット２１に設けられた貼付ローラ２２は、支持粘着テープＤＴの貼付位置にリングフレーム搬送機構１７によってリングフレームｆが搬送および保持され、テープ供給部１９からの支持粘着テープＤＴの供給が開始されると同時に、テープ供給方向の右側の貼付開始位置に移動する。
【００４１】
貼付開始位置に到達した貼付ローラ２２は、上昇して支持粘着テープＤＴをリングフレームｆに押圧して貼り付け、貼付開始位置から待機位置方向に転動して支持粘着テープＤＴを押圧しながらリングフレームｆに貼り付けるようになっている。
【００４２】
剥離ユニット２３は、後述するカッター機構２４によって裁断された支持粘着テープＤＴの不要な部分をリングフレームｆから剥離するようになっている。具体的には、リングフレームｆへの支持粘着テープＤＴの貼り付けおよび裁断が終了すると、引張機構２０による支持粘着テープＤＴの保持が開放される。次いで、剥離ユニット２３が、リングフレームｆ上をテープ供給部１９側に向かって移動し、裁断後の不要な支持粘着テープＤＴを剥離する。
【００４３】
カッター機構２４は、リングフレームｆが載置された支持粘着テープＤＴの下方に配備されている。支持粘着テープＤＴが貼付ユニット２１によってリングフレームｆに貼り付けられると、引張機構２０による支持粘着テープＤＴの保持が開放され、このカッター機構２４が上昇する。上昇したカッター機構２４は、リングフレームｆに沿って支持粘着テープＤＴを裁断する。
【００４４】
リングフレーム昇降機構２６は、リングフレームｆに支持粘着テープＤＴを貼り付ける位置の上方の待機位置にある。このリングフレーム昇降機構２６は、リングフレームｆに支持粘着テープＤＴの貼付処理が終了すると降下し、リングフレームｆを吸着保持する。このとき、リングフレームｆを保持していたリングフレーム搬送機構１８は、リングフレーム供給部１６の上方の初期位置に戻る。
【００４５】
また、リングフレーム昇降機構２６はリングフレームｆを吸着保持すると、ウエハＷとの貼り合わせ位置へと上昇する。このとき、ウエハＷを吸着保持したチャックテーブル１５もウエハＷの貼り合わせ位置まで降下する。
【００４６】
マウントフレーム作製部２７は、周面が弾性変形可能な貼付ローラ２８を備えている。貼付ローラ２８は、リングフレームｆの裏面に貼り付けられている支持粘着テープＤＴの非接着面を押圧しながら転動するようになっている。
【００４７】
第１マウントフレーム搬送機構２９は、リングフレームｆとウエハＷとが一体形成されたマウントフレームＭＦを真空吸着して剥離機構３０の図示しない剥離テーブルに移載するようになっている。
【００４８】
剥離機構３０は、図２に示すように、ウエハＷを載置して移動させる剥離テーブル３８、熱硬化型接着テープである剥離用接着テープ類（以下、単に「剥離テープＴｓ」という）を供給するテープ供給部３１、剥離テープＴｓの貼り付けおよび剥離を行なう剥離ユニット３２、および剥離された剥離テープＴｓと保護テープＰＴを回収するテープ回収部３４とから構成されている。なお、剥離機構３０のうち剥離テーブル３８を除く構成は、装置本体に位置固定状態に装備されている。なお、剥離テーブル３８は、本発明の保持手段に、テープ供給部３１は接着テープ類供給手段に、剥離テープＴｓは剥離用接着テープ類である熱硬化型接着テープにそれぞれ相当する。また、剥離用接着テープ類としては、熱硬化型接着テープに限定されるものではなく、例えば、熱や紫外線などにより硬化する感圧型の接着テープ、熱可塑性の接着テープなどが挙げられる。さらに、これら接着テープを粘着テープに置き換えても適用できる。
【００４９】
剥離テーブル３８は、マウントフレームＭＦを裏面側から真空吸着するよう構成されており、前後水平に配備された左右一対のレール４１に沿って前後にスライド移動可能に支持された可動台４２に支持されている。そして、可動台４２は、パルスモータ４３で正逆駆動されるネジ軸４４によってネジ送り駆動されるようになっている。なお、レール４１、可動台４２、パルスモータ４３、ネジ軸４４などは、本発明の水平駆動手段を構成する。
【００５０】
テープ供給部３１は、原反ローラから導出した剥離テープＴｓをガイドローラ４５を介して剥離ユニット３２の下端部に案内供給するようになっている。
【００５１】
テープ回収部３４は、剥離ユニット３２の下端部から送り出された剥離テープＴｓをモータ駆動される送りローラ４６およびガイドローラ４７を介して上方に導いて巻き取り回収するようになっている。
【００５２】
図２に示すように、剥離ユニット３２には、平行に昇降可能な可動ブロック４８とこれをネジ送り昇降させるパルスモータ４９が備えられるとともに、可動ブロック４８の下端に、剥離テープＴｓの貼付け部材および剥離部材として先端が先鋭なエッジ部材５０と、供給されてきた剥離テープＴｓをエッジ部材５０の先端部に導く受入れガイドローラ５１と、エッジ部材５０の先端部で折り返された剥離テープＴｓをテープ回収部３４に向けて案内する送り出しガイドローラ５２とが備えられている。なお、可動ブロック４８、パルスモータ４９などは、本発明の昇降手段を構成する。
【００５３】
エッジ部材５０は、図３および図４に示すように、ウエハの直径より幅広で先端に向かって先細りの支持部材６０の中央に形成された方形状の切り欠きに断熱材６１を介して取り付けられ、支持部材６０と一体になって先端が先下がり傾斜姿勢で剥離ユニット３２に取り付け固定されている。その形状は、剥離テープＴｓと略同じ幅で先端が先鋭となるテーパー状である。また、先端の中央部分Ｈが剥離テープＴｓと密接するように直線状をなし、当該中央部分Ｈの両側は、エッジ部材５０の基端寄りに緩やかに傾斜している。本実施例の場合、剥離テープＴｓの幅が３０ｍｍであるのに対して、エッジ部材５０の幅が５０ｍｍ、先端中央部分Ｈの幅が３５ｍｍ、中央部分Ｈの両側は、中央先端と側縁先端とのギャップＧが１ｍｍとなる傾斜角に設定されている。なお、エッジ部材５０の先端の形状は、使用する剥離テープＴｓの種類のよって適宜に設計変更される。
【００５４】
支持部材６０は、内部ヒータ６２を内蔵している。当該ヒータ６２は、支持部材６０を加熱した熱を断熱材６１を介してエッジ部材５０に伝達し、当該エッジ部材５０と密接する貼付け部位である剥離テープＴｓの接着層を重合反応させて熱硬化させる。つまり、図４に示すように、エッジ部材５０の先端の温度を接触または非接触のセンサＳで検出して制御装置６３にフィードバックし、エッジ部材５０の先端が所定温度となるようにヒータ６２からの供給温度が調節されている。なお、ヒータ６２は、本発明の加熱手段に相当する。
【００５５】
第２マウントフレーム搬送機構３５は、剥離機構３０から払い出されたマウントフレームＭＦを真空吸着してターンテーブル３６に移載するようになっている。
【００５６】
ターンテーブル３６は、マウントフレームＭＦの位置合わせおよびマウントフレーム回収部３７への収納を行なうように構成されている。つまり、第２マウントフレーム搬送機構３５によってターンテーブル３６上にマウントフレームＭＦが載置されると、ウエハＷのオリエンテーションフラットや、リングフレームｆの位置決め形状などに基づいて位置合わせを行なう。またマウントフレーム回収部３７へのマウントフレームＭＦの収納方向を変更するために、ターンテーブル３６は旋回するようになっている。また、ターンテーブル３６は、収納方向が定まるとマウントフレームＭＦを図示しないプッシャーによって押出してマウントフレーム回収部３７にマウントフレームＭＦを収納するようになっている。
【００５７】
マウントフレーム回収部３７は、図示しない昇降可能な載置テーブルに載置されている。つまり、載置テーブルが昇降移動することによって、プッシャーによって押出されたマウントフレームＭＦをマウントフレーム回収部３７の任意の段に収納できるようになっている。
【００５８】
なお、本実施例に使用される熱硬化型の剥離テープＴｓとしては、例えば、ホットメルトなどが挙げられる。
【００５９】
次に、上述の実施例装置について一巡の動作を図１から図１０を参照しながら説明する。
【００６０】
ロボットアーム４のウエハ保持部がカセットＣの隙間に挿入される。ウエハＷは下方から吸着保持されて１枚ずつ取り出される。取り出されたウエハＷは、アライメントステージ７に搬送される。
【００６１】
ロボットアーム４によってウエハＷが保持テーブルに載置され、裏面から吸着保持される。このとき、図示しない圧力計によってウエハＷの吸着レベルが検出され、正常動作時の圧力値に関連して予め定められた基準値とを比較される。
【００６２】
吸着異常が検知された場合は、押圧プレート６によりウエハＷが表面から押圧され、反りの矯正された平面状態でウエハＷが吸着保持される。また、ウエハＷは、オリエンテーションフラットやノッチに基づいて位置合わせが行なわれる。
【００６３】
アライメントステージ７上で位置合わせが終了すると、紫外線照射ユニット１４によってウエハＷの表面に紫外線が照射される。
【００６４】
ウエハＷは、紫外線の照射処理が施されると、保持テーブルに吸着保持されたままアライメントステージ７ごと次のマウントフレーム作製部２７へと搬送される。つまり、アライメントステージ７は、チャックテーブル１５とリングフレーム昇降機構２６との中間位置に移動する。
【００６５】
アライメントステージ７が所定の位置で待機すると、上方に位置するチャックテーブル１５が降下し、チャックテーブル１５の底面がウエハＷに当接して真空吸着を開始する。チャックテーブル１５の真空吸着が開始すると、保持テーブル側の吸着保持が開放され、ウエハＷはチャックテーブル１５に反りを矯正して平面保持した状態のまま受け取られる。ウエハＷを受け渡したアライメントステージ７は、初期位置へと戻る。
【００６６】
次に、リングフレーム供給部１６に多段に収納されたリングフレームｆが、リングフレーム搬送機構１７によって上方から１枚ずつ真空吸着されて取り出される。取り出されたリングフレームｆは、図示しないアライメントステージで位置合わせが行なわれたのち、支持用粘着テープＤＴの上方の支持用粘着テープ貼り付け位置に搬送される。
【００６７】
リングフレームｆがリングフレーム搬送機構１７によって保持されて支持用粘着テープＤＴの貼付位置にあると、テープ供給部１９から支持用粘着テープＤＴの供給が開始される。同時に貼付ローラ２２が貼付開始位置に移動する。
【００６８】
貼付開始位置に貼付ローラ２２が到達すると、支持用粘着テープＤＴの幅方向の両端を引張機構２０が保持し、テープ幅方向にテンションをかける。
【００６９】
次いで貼付ローラ２２が上昇し、支持用粘着テープＤＴをリングフレームｆの端部に押圧して貼り付ける。リングフレームｆの端部に支持用粘着テープＤＴを貼り付けると、貼付ローラ２２は待機位置であるテープ供給部１９側に向かって転動する。このとき、貼付ローラ２２は、支持用粘着テープＤＴを非接着面から押圧しながら転動し、リングフレームｆに支持用粘着テープＤＴを貼り付けてゆく。貼付ローラ２２が貼付位置の終端に到達すると、引張機構２０による支持用粘着テープＤＴの保持が開放される。
【００７０】
同時にカッター機構２４が上昇し、リングフレームｆに沿って支持用粘着テープＤＴを裁断する。支持用粘着テープＤＴの裁断が終了すると、剥離ユニット２３がテープ供給部１９側に向かって移動し、不要な支持用粘着テープＤＴを剥離する。
【００７１】
次いでテープ供給部１９が作動して支持用粘着テープＤＴを繰り出すとともに、裁断された不要部分のテープは、テープ回収部２５へと送り出される。このとき、貼付ローラ２２は、次のリングフレームｆに支持用粘着テープＤＴを貼り付けるように、貼付開始位置に移動する。
【００７２】
支持用粘着テープＤＴが貼り付けられたリングフレームｆは、リングフレーム昇降機構２６によってフレーム部が吸着保持されて上方へ移動する。このとき、チャックテーブル１５も降下する。つまり、チャックテーブル１５とリングフレーム昇降機構２６とは、互いにウエハＷを貼り合わせる位置まで移動する。
【００７３】
各機構１５、２６が所定位置に到達すると、それぞれが図示しない保持機構によって保持される。次いで、貼付ローラ２８が、支持用粘着テープＤＴの貼付開始位置に移動し、リングフレームｆ底面に貼り付けられている支持用粘着テープＤＴの非接着面を押圧しながら転動し、支持用粘着テープＤＴをウエハＷに貼り付けてゆく。その結果、リングフレームｆとウエハＷとが一体化されたマウントフレームＭＦが作製される。
【００７４】
マウントフレームＭＦが作製されると、チャックテーブル１５とリングフレーム昇降機構２６とは、上方に移動する。このとき、図示しない保持テーブルがマウントフレームＭＦの下方に移動し、マウントフレームＭＦがこの保持テーブルに載置される。載置されたマウントフレームＭＦは、第１マウントフレーム搬送機構２９によって吸着保持され、剥離テーブル３８に移載される。
【００７５】
マウントフレームＭＦが載置された剥離テーブル３８は、図２および図７示すように、剥離ユニット３２の下方に向かって前進移動する。このとき、エッジ部材５０の先端の直下位置に保護テープＰＴの前端縁がくるように、剥離テーブル３８の位置設定がパルスモータ４３の作動制御により行なわれる。つまり、保護テープＰＴの前端縁がエッジ部材５０の先端の直下位置に到達すると前進移動が自動的に一旦停止される。
【００７６】
剥離テーブル３８が一旦停止されると、図５および図８に示すように、パルスモータ４９が作動制御されて可動ブロック４８が下降される。その後、エッジ部材５０がテープ供給部３１から供給される剥離テープＴｓを巻き掛けた状態で降下され、図１０（ａ）に示すように、エッジ部材５０の先端で剥離テープＴｓが保護テープＰＴの前端上面に所定の押圧力で押し付ける作用位置に移動する。
【００７７】
保護テープＰＴの前端への保護テープＰＴの貼付けが完了すると、図６および図９に示すように、剥離テーブル３８は、エッジ部材５０で剥離テープＴｓを保護テープＰＴに押圧した状態で再び前進移動を開始するとともに、この移動速度と同調した速度で剥離テープＴｓがテープ回収部３４に向けて巻き取られてゆく。この動作によって、図１０（ｂ）に示すように、エッジ部材５０がウエハＷの表面の保護テープＰＴに剥離テープＴｓを押圧しながら貼り付けてゆくとともに、同時に貼り付けた剥離テープＴｓを剥離しながら保護テープＰＴを一緒にウエハＷの表面から剥離してゆく。
【００７８】
なお、本実施例の場合、剥離テープＴｓの貼り付け作用位置に到達したとき、エッジ部材５０は、図４に示すように、支持部材６０に内蔵されたヒータ６２の熱が断熱材を介して伝達され、エッジ部材５０自体が加熱された状態で剥離テープＴｓを保護テープＰＴの端縁から貼り付けてゆく。このとき、エッジ部材５０の先端の熱が剥離テープＴｓの貼付け部位に直接に伝達され、貼付け部位の接着層の重合反応を完結させて剥離テープＴｓを保護テープＰＴに貼り付ける。
【００７９】
なお、剥離テープＴｓの貼り付け過程で、エッジ部材５０の温度がセンサＳによって連続的または間欠的に検出され、この検出結果（実測値）が制御装置６３にフィードバックされる。制御装置６３には使用する剥離テープＴｓごとにその接着層の重合反応を完結させるのに適した温度（基準値）が予め設定されており、制御装置６３は、この基準値と実測値とを比較し、その比較結果に基づいてヒータ６２の供給温度を調節してエッジ部材５０の温度を制御する。
【００８０】
エッジ部材５０が下降作動した剥離テープ貼付け開始位置からウエハ直径に相当する距離だけ前進するようパルスモータが作動制御された時点、換言すると、エッジ部材５０が保護テープＰＴの後端縁に到達して保護テープＰＴが完全にウエハの表面から剥離された時点でエッジ部材５０が上昇制御されて、剥離ユニット３２は初期状態に復帰する。
【００８１】
保護テープＰＴの剥離処理が終了したマウントフレームＭＦは、剥離テーブル３８によって第２マウントフレーム搬送機構３５の待機位置まで移動する。
【００８２】
そして、剥離機構３０から払い出されたマウントフレームＭＦは、第２マウントフレーム搬送機構３５によってターンテーブル３６に移載される。移載されたマウントフレームＭＦは、オリエンテーションフラットやノッチによって位置合わせが行なわれるとともに、収納方向の調節が行なわれる。位置合わせおよび収納方向が定まるとマウントフレームＭＦは、プッシャーによって押出されてマウントフレーム回収部３７に収納される。
【００８３】
以上のように、エッジ部材５０を加熱して剥離テープＴｓの接着層の重合反応を完結させて熱硬化させることにより、保護テープＰＴの端縁に剥離テープＴｓを過不足なしに強固に貼り付けることができる。その結果、剥離テープＴｓの接着力が保護テープＰＴの接着力よりの大きいので、剥離テープＴｓを剥離することで、保護テープＰＴを端縁から一体にして精度よく剥離することができる。すなわち、剥離エラーの発生を抑制できる。
【００８４】
〔別実施例１〕
【００８５】
上記実施例では、マウントフレームＭＦを前進移動させて剥離ユニット３２の下方を通過させる間に、エッジ部材５０によって剥離テープＴｓの保護テープＰＴへの貼付けと剥離を同時に行なうものとしているが、剥離テープＴｓの保護テープＰＴへの貼付けと剥離を別々の過程で順次行なう形態で実施することもでき、その一例が図１１ないし図１４に示されている。
【００８６】
この実施例では、剥離テーブル３８、テープ供給部３１、およびテープ回収部３４がそれぞれ位置固定して配備されるのに対して、剥離機構３０の剥離ユニット３２が図示されていない駆動機構によって前後に水平移動されるようになっており、以下のように作動する。
【００８７】
先ず、図１１に示すように、剥離ユニット３２を剥離テーブル３８から外れた待機位置から、エッジ部材５０の先端の直下位置に保護テープＰＴの前端縁（作用位置）がくるように前進移動させる。
【００８８】
作用位置上方にエッジ部材５０がくると、図１２に示すように、移動を一端停止し、前例と同様に、エッジ部材５０を下降制御して剥離テープＴｓを保護テープＰＴの前端上面の作用位置に押し付ける。
【００８９】
その後、図１２中の仮想線で示すように、上記押し付け状態のままでマウントフレームＭＦを前進移動させ、剥離テープＴｓを保護テープＰＴの上面に連続して貼付けてゆく。かつ、この貼付け移動の間に、エッジ部材５０の温度を制御しながら剥離テープＴｓの接着層の重合反応をさせる。
【００９０】
そして、図１３に示すように、保護テープＰＴの後端縁に到達したところで移動を一端停止する。その後、図１４に示すように、前記停止位置を起点としてマウントフレームＭＦを後退移動させながら、後退移動速度と同調した速度で剥離テープＴｓを巻き取り回収してゆく。その結果、剥離テープＴｓと一体に保護テープＰＴをウエハ表面から剥離してゆく。
【００９１】
上述のような別実施例装置であっても、上述の主実施例装置と同様の効果を奏する。
【００９２】
この発明は、上記実施形態に限られることはなく、下記のように変形実施することができる。
【００９３】
（１）上記実施例では、支持部材６０にヒータ６２を内蔵していたが、エッジ部材５０自体にヒータ６２を内蔵した形態でもよい。
【００９４】
（２）上記実施例では、剥離テープＴｓの貼り付け部材としてエッジ部材５０を利用していたが、ローラを利用してもよい。この場合、ローラにヒータを内臓し、周面が硬質のものが好ましく、またローラ径もできるだけ小さいものが好ましい。
【００９５】
（３）保護テープＰＴの端縁の位置合せは、予め設定された剥離テーブル３８の位置をパルモータ４９の作動制御で行なっていたが、レーザー、光センサ、およびＣＣＤカメラなどを利用して保護テープＰＴの端縁を検出し、その検出結果に基づいて剥離テーブル３８の移動距離を制御して位置合せを行なってもよい。
【００９６】
（４）上記主実施例において、マウントフレームＭＦを位置固定して、剥離ユニット３２を水平移動させる形態で実施することもできる。
【００９７】
（５）上記実施例では、エッジ部材（貼付け部材）５０を下降制御して剥離テープＴｓを保護テープＰＴに押圧して貼り付けているが、逆に、昇降作動しないエッジ部材５０に対してマウントフレームＭＦを昇降させる形態で実施することもできる。
【００９８】
（６）上記実施例では、保護テープＰＴを剥離する剥離用テープＴｓとして、ロール巻きした帯状のものを繰り出して用いているが、寸法切りされた枚葉の接着または粘着テープや接着または粘着シートを利用することもできる。
【図面の簡単な説明】
【００９９】
【図１】半導体ウエハマウント装置の全体を示す斜視図である。
【図２】剥離機構の動作過程を示す側面図である。
【図３】別実施例のエッジ部材周りを示す斜視図である。
【図４】別実施例のエッジ部材周りの要部構成を示す平面図である。
【図５】剥離機構の動作過程を示す側面図である。
【図６】剥離機構の動作過程を示す側面図である。
【図７】剥離機構の動作過程を示す斜視図である。
【図８】剥離機構の動作過程を示す斜視図である。
【図９】剥離機構の動作過程を示す斜視図である。
【図１０】剥離機構の貼付け作動および剥離作動を示す要部の拡大側面図である。
【図１１】別実施例の剥離機構の動作説明を示す側面図である。
【図１２】別実施例の剥離機構の動作説明を示す側面図である。
【図１３】別実施例の剥離機構の動作説明を示す側面図である。
【図１４】別実施例の剥離機構の動作説明を示す側面図である。
【符号の説明】
【０１００】
５０  …  貼付け部材（エッジ部材）
６０  …  支持部材
６２  …  ヒータ
ｆ  …  リングフレーム
ＤＴ  …  支持用粘着テープ
ＰＴ  …  保護テープ
Ｔｓ  …  剥離テープ
ＭＦ  …  マウントフレーム
Ｗ  …  半導体ウエハ
【図１】
2007043048.tif 000003
【図２】
2007043048.tif 000004
【図３】
2007043048.tif 000005
【図４】
2007043048.tif 000006
【図５】
2007043048.tif 000007
【図６】
2007043048.tif 000008
【図７】
2007043048.tif 000009
【図８】
2007043048.tif 000010
【図９】
2007043048.tif 000011
【図１０】
2007043048.tif 000012
【図１１】
2007043048.tif 000013
【図１２】
2007043048.tif 000014
【図１３】
2007043048.tif 000015
【図１４】
2007043048.tif 000016